(57)【特許請求の範囲】
【請求項１】
コネクタを保持するとともに、該コネクタの端子挿通孔を通してコネクタの内部にワイヤハーネスの端部に設けられた端子を一定方向に規制して接続するためのコネクタ保持用治具であって、
前記コネクタを載置する底板および該底板から突出して該コネクタの端子挿通孔を有する一端部と開閉自在なカバーを有する他端部が露出するように該コネクタの両側面に当接する一対の側板を備えた本体と、前記底板の端子挿通孔側に位置する前記底板の端部で、かつ前記一対の側板の何れか一方近傍に設けられ、前記ワイヤハーネスの端子側端部を前記端子挿通孔に案内するガイド部材と、前記側板の少なくとも一方に設けられ、前記コネクタの側面に設けられた所定の突起物に係合可能なスリットとを備えたことを特徴とするコネクタ保持用治具。
【発明の詳細な説明】
【０００１】
【発明の属する技術分野】
本発明は、コネクタ保持用治具に関し、詳しくは、ワイヤハーネスの端子側端部にコネクタに対して一定の方向に規制することができるとともにコネクタの取付け位置を一定方向にすることができるコネクタ保持用治具に関する。
【０００２】
【従来の技術】
一般に、車両等に装着されるワイヤハーネスにあっては、ワイヤハーネスの端部に設けられた端子を相手側コネクタに接続される雄型または雌型コネクタに接続したり、あるいは、ヒューズ等を内蔵したコネクタに接続する必要がある。
【０００３】
従来のこの種のコネクタのうち、ヒューズ等を内蔵したコネクタにワイヤハーネスを接続するものとしては、例えば、図３、４に示すようなものがある。図３、４において、１はコネクタであり、このコネクタ１内にはヒューズおよび電流整流用のダイオード等が内蔵されている。このコネクタ１の一端部には複数の端子挿通孔１ａが設けられており、この端子挿通孔１ａ内にはワイヤハーネス２の端部に設けられた端子が接続される。また、コネクタ１の他端部にはコネクタ１の他端部を開閉自在なカバー３が設けられており、このカバー３はコネクタ１の他端部を閉塞することにより、コネクタ１内のヒューズ等を保護するものである。
【０００４】
このようなコネクタ１にワイヤハーネス２を接続するには、図４に示すようなＵ治具４を使用する。このＵ治具４はワイヤハーネス組立基板に立設されており、この組立基板上でワイヤハーネス２を配設する際に、ワイヤハーネス２の端部をＵ治具４で保持するとともにコネクタ１を把持した状態でワイヤハーネス２の端子を１本ずつ端子挿通孔１ａに挿通するようにしている。
【０００５】
【発明が解決しようとする課題】
しかしながら、このようにしてワイヤハーネス２の端子をコネクタ１に取付ける方法にあっては、図３（ａ）に示すようにワイヤハーネス２の端部を一方側に束ねてコネクタ１に取付ける仕様がある場合に、コネクタ１の中心部（図３（ａ）にＸで示す）からワイヤハーネス２の片寄り量をメジャー等で測定したり、ワイヤハーネス組立基板上で確認しながら行なわなければならず、ワイヤハーネス２の取付けが面倒であるという問題があった。これに加えて、コネクタ１の上下面を常に一定方向に規制する手段がなかったため、コネクタ１の上下面が反転されたままワイヤハーネス２がコネクタ１に取付けられることがあり、取付け不良が発生することがあった。
【０００６】
そこで本発明は、ワイヤハーネスの端部を一方側に片寄らせるようにしてコネクタに簡単に取付けることにより、ワイヤハーネスの端部を片寄らせる設定仕様であってもワイヤハーネスの取付け作業の作業性を向上させることができるとともに、コネクタの取付け面を一定にすることができるようにしてワイヤハーネスの取付け不良が発生するのを防止することができるコネクタ保持用治具を提供することを目的としている。
【０００７】
【課題を解決するための手段】
請求項１記載の発明は、上記課題を解決するために、コネクタを保持するとともに、該コネクタの端子挿通孔を通してコネクタの内部にワイヤハーネスの端部に設けられた端子を一定方向に規制して接続するためのコネクタ保持用治具であって、前記コネクタを載置する底板および該底板から突出して該コネクタの端子挿通孔を有する一端部と開閉自在なカバーを有する他端部が露出するように該コネクタの両側面に当接する一対の側板を備えた本体と、前記底板の端子挿通孔側に位置する前記底板の端部で、かつ前記一対の側板の何れか一方近傍に設けられ、前記ワイヤハーネスの端子側端部を前記端子挿通孔に案内するガイド部材と、前記側板の少なくとも一方に設けられ、前記コネクタの側面に設けられた所定の突起物に係合可能なスリットとを備えたことを特徴としている。
【０００８】
その場合、一対の側板の何れか一方近傍の底板にガイド部材が設けられているため、コネクタを本体に取付けた後、ガイド部材によってワイヤハーネスの端部を纏めてワイヤハーネスの端子をコネクタに取付けることにより、ワイヤハーネスの端部をコネクタに対して簡単に片寄らせることができ、ワイヤハーネスの端部を片寄らせる設定仕様であってもワイヤハーネスの取付け作業の作業性を向上させることができる。
【０００９】
また、側板の少なくとも一方にコネクタの側面に設けられた所定の突起物に係合可能なスリットを設けたため、コネクタの上下面を一定方向にしなければコネクタを本体に取付けることができない。このため、コネクタの取付け面を確実に一定にすることができ、ワイヤハーネスの取付け不良が発生するのを防止することができる。
【００１０】
【発明の実施の形態】
以下、本発明の実施形態を図面に基づいて説明する。
【００１１】
図１、２は本発明に係るコネクタ保持用治具の一実施形態を示す図である。
【００１２】
まず、構成を説明する。図１、２において、11はコネクタ保持用治具であり、この保持用治具11はコネクタ13を保持可能な本体12を備えている。コネクタ13は内部にヒューズおよび電流整流用のダイオード等が内蔵されており、一端部（端部）に複数の端子挿通孔13ａが設けられ、この端子挿通孔13ａ内にはワイヤハーネス14の端部に設けられた端子が接続されるようになっている。また、コネクタ13の他端部にはコネクタ13の他端部を開閉自在なカバー15が設けられており、このカバー15はコネクタ13の他端部を閉塞することにより、コネクタ13内のヒューズ等を保護するようになっている。
【００１３】
一方、本体12はコネクタ13を載置する底板16および底板16から突出してコネクタ13の端子挿通孔13ａが露出するようにコネクタ13の両側面に当接する一対の側板17ａ、17ｂを備えている。
【００１４】
底板16の背面には棒状部材18の一端部が設けられており、この棒状部材18の他端部は図示しないワイヤハーネス組立用基板に取付けられている。すなわち、本体12はワイヤハーネス組立用基板に立設されている。
【００１５】
また、底板16の端子挿通孔側13ａに位置する一端部（端部）には一対のピン部材19ａ、19ｂが設けられており、このピン部材19ａ、19ｂは側板17ａの近傍のガイド板19上に設けられ、ワイヤハーネス14の端子側端部を端子挿通孔13ａに案内するガイド部材を構成している。
【００１６】
また、側板17ｂにはスリット20が設けられており、このスリット20にはコネクタ13の側面に設けられた突起（突起物）13ｂが係合するようになっている。
【００１７】
このように本実施形態では、側板17ａ近傍の底板16にピン部材19ａ、19ｂを設けているため、コネクタ13を本体12に取付けた後、ピン部材19ａ、19ｂによってワイヤハーネス14の端部を纏めてワイヤハーネス14の端子をコネクタ13に取付けることにより、ワイヤハーネス14の端部をコネクタ13に対して簡単に片寄らせることができ、ワイヤハーネス14の端部を片寄らせる設定仕様であってもワイヤハーネス14の取付け作業の作業性を向上させることができる。
【００１８】
また、側板17ｂにコネクタ13の側面に設けられた突起13ｂに係合可能なスリット20を設けたため、コネクタ13の上下面を一定方向にしなければコネクタ13を本体12に取付けることができないことから、コネクタ13の取付け面を確実に一定にすることができ、ワイヤハーネス14の取付け不良が発生するのを防止することができる。
【００１９】
なお、本実施形態では、スリット20を側板17ｂ側に設けているが、コネクタ13の突起13ｂが側板17ａ側に設けられている場合には、スリットを側板17ａに設けても良い。また、ピン部材19ａ、19ｂは側板17ｂ側に設けられても良いことは勿論である。
【００２０】
また、本発明が適用されるコネクタは雄型または雌型コネクタ等であっても良いことは勿論である。
【００２１】
【発明の効果】
請求項１記載の発明によれば、一対の側板の何れか一方近傍の底板にガイド部材が設けられているため、コネクタを本体に取付けた後、ガイド部材によってワイヤハーネスの端部を纏めてワイヤハーネスの端子をコネクタに取付けることにより、ワイヤハーネスの端部をコネクタに対して簡単に片寄らせることができ、ワイヤハーネスの端部を片寄らせる設定仕様であってもワイヤハーネスの取付け作業の作業性を向上させることができる。
【００２２】
また、側板の少なくとも一方にコネクタの側面に設けられた所定の突起物に係合可能なスリットを設けたため、コネクタの上下面を一定方向にしなければコネクタを本体に取付けることができない。このため、コネクタの取付け面を確実に一定にすることができ、ワイヤハーネスの取付け不良が発生するのを防止することができる。
【図面の簡単な説明】
【図１】本発明に係るコネクタ保持用治具の一実施形態を示す図であり、（ａ）はその上面図、（ｂ）はその正面図、（ｃ）はその側面図である。
【図２】一実施形態の保持用治具にコネクタを取付けた状態を示す図である。
【図３】（ａ）は従来の取付け方法によってワイヤハーネスが取付けられたコネクタの上面図、（ｂ）は同図（ａ）のＡ方向矢視図である。
【図４】従来の治具によってコネクタにワイヤハーネスを取付ける状態を示す図である。
【符号の説明】
11    コネクタ保持用治具
12    本体
13    コネクタ
13ａ    端子挿通孔
13ｂ    突起（突起物）
14    ワイヤハーネス
16    底板
17ａ、17ｂ    側板
19ａ、19ｂ    ピン部材（ガイド部材）
20    スリット
【図１】
0003644328.tif 000002
【図２】
0003644328.tif 000003
【図３】
0003644328.tif 000004
【図４】
0003644328.tif 000005